(57)【要約】      （修正有）【課題】食物を摘む箸先の部分は短くし、さらに衛生上から使い捨てとし、手で握る把持部の部分は繰返し使用可能とすることで、木材の省資源を図り得る割り箸に替わる箸を提供する。【解決手段】食べ物を摘む箸先部３と手で把持する把持部４に箸本体を区分し、箸先部３は木や竹からなるものとし、把持部４はプラスチックスや金属とし、把持部４の先端部４ａを箸先嵌合部４ｂとし、箸先嵌合部４ｂの内部に箸先部３の後端部３ａを両側から嵌合挟持する凹状嵌合溝５を設け、箸先嵌合部４ｂの凹状嵌合溝５を先端部４ａから後端部４ｄの側へ軸芯で２分割し、箸先嵌合部４ｂの後端部の外側にリング枠６を嵌合し、箸先部３の後端部３ａを分割した両側の凹状嵌合溝５で挟持し、これを先端側に移動した円形リング枠６で両側に開いた凹状嵌合溝５を締め付けて箸先部３と把持部４を接続して１本の箸本体として形成の接ぎ箸。【選択図】図２
0003137600.tif 000002
【実用新案登録請求の範囲】
【請求項１】
食べ物を摘む箸先部３と手で把持する把持部４から箸本体２を形成し、箸先部３の素材を木材や竹材からなるものとし、把持部４の素材はプラスチックスまたは金属からなるものとし、把持部４の先端部４ａは箸先嵌合部４ｂに形成し、この箸先嵌合部４ｂに箸先部３の後端部３ａを両側から嵌合挟持する凹状嵌合溝５を設け、この凹状嵌合溝５の長手中央部に突条５aを形成すると共に箸先部３の後端部３ａの長手中央部に上記の突条５aが嵌合する凹条３bを設け、箸先部３の後端部３ａを凹状嵌合溝５に挟持して箸先部３と把持部４を接続して１本の箸本体２に形成したことを特徴とする接ぎ箸１。
【請求項２】
箸先嵌合部４ｂは内部の凹状嵌合溝５と共に先端部４ａから後端部４ｄの側へ軸芯４ｉで２分割され、後端部４ｄの外周面４ｃを内周面６ａとするリング枠６が箸先嵌合部４ｂの後方部４ｅに嵌合されて先端部４ａと後端部４ｄとの間を移動可能で、先端部４ａの外周面４ｃがリング枠６の内周面６ａより大きく、リング枠６が先端部４ａから脱落防止され、箸先嵌合部４ｂの凹状嵌合溝５に挟持の箸先部３の後端部３ａを箸先嵌合部４ｂの先端部４ａに移動のリング枠６の緊締により箸先部３と把持部４を接続して形成したことを特徴とする請求項１に記載の接ぎ箸１。
【請求項３】
把持部４はその先端側に有する箸先嵌合部４ｂと別体からなるものとし、箸先嵌合部４ｂの外周面４ｃに嵌合したリング枠６は箸先嵌合部４ｂの後端部４ｄから嵌合されてなり、後端部４ｄに嵌合のリング枠６の背後に箸先嵌合部４ｂの外周面４ｃの大きさからなる挿着部４ｆを有し、この挿着部４ｆを把持部４に設けた挿通孔４ｇに挿着して一体化して形成したことを特徴とする請求項２に記載の接ぎ箸１。
【請求項４】
請求項１に記載の把持部４は軸芯４ｉに挿通孔４ｇを有し、挿通孔４ｇに凹状嵌合溝５を内部に有する箸先嵌合部４ｂを別体から形成して挿脱自在とし、挿通孔４ｇの周囲の把持部４の先端の大きさよりも大きな係合突条４ｊを箸先嵌合部４ｂの周囲に一体成形して有すると共に、挿通孔４ｇに挿通した箸先嵌合部４ｂの係合突状４ｊの後端部４ｄをヒンジ状リンク部４ｋとして箸先嵌合部４ｂを軸芯４ｉの方向で２分割して軸芯４ｉに垂直な方向に開閉可能とし、開いた状態の箸先嵌合部４ｂに形成の凹状嵌合溝５に箸本体２を装着して閉じ、この閉じた箸先嵌合部４ｂを把持部４の挿通孔４ｇに挿着一体化して形成したことを特徴とする接ぎ箸１。
【考案の詳細な説明】
【技術分野】
【０００１】
この考案は、食事をする際に使用する箸に関し、この箸は食べ物を把持するための箸先部と手指で把持する把持部の２部分を前後に組み合わせた複合体からなり、箸先部は木材や竹材からなり、従来の割り箸と同様に一回限りの使用で使い捨てするものであり、把持部はプラスチック製からなるものであり、使用後に洗浄することで、再び新しい箸先部と組み合わせることで繰返して箸として使用できる接ぎ箸に関する。
【背景技術】
【０００２】
従来、使い捨ての箸としては割り箸がある。この割り箸の多くは一膳分の箸を細長い紙せいの箸袋に装着して食事どきに提供される。一方、大衆向きの食堂などで箸袋に装着しないままとした割り箸の多数を箸立てに立て、食事用のテーブルに載置する場合もある。通常、この割り箸は杉材屋その他の木目の通った木材を木目に沿って割り箸の先端側から中程まで分離加工して一膳分の箸の形状に仕上げ、後半の部分は一膳分の箸を分離することなく一体化するとともに、その中央に縦方向の割れ目を設けて分離可能に仕上げて手指で握る箸の把持部としている。このような割り箸はその長さは約２０ｃｍ以上で、幅が把持部で約１３ｍｍで、厚さが５ｍｍの木材から形成されている。
【０００３】
ところで、この割り箸は、一旦、食物を摘んだ箸を衛生上の面からと洗浄する手間のコストの利便性の面から使い捨てにされる。このように上記の約２０ｃｍ以上の長さの木材からなる割り箸を一度限りの使用で捨て去っている。これは資源の大幅な無駄であり、使い捨てられた一部の割り箸はパルプ材やその他の原料とされるが、大部分は捨てられて焼却されている。割り箸の製造用として伐り出される木材のために、将来は森林の枯渇を招き、ひいては地球の温暖化につながる恐れがある。
【０００４】
一方、従来の割り箸を改良するものもあるが、それは例えば爪楊枝を内蔵するようにするもので、割り箸の縦方向に爪楊枝の挿着孔を設けて爪楊枝を挿着させたものが提案されている。（例えば、特許文献１参照。）。しかし、このものは爪楊枝を挿着するものであるが、割り箸の素材の木材の省資源を図るものではなかった。
【０００５】
【特許文献１】登録実用新案公報第３０４１０８３号
【考案の開示】
【考案が解決しようとする課題】
【０００６】
本考案が解決しようとする課題は、食物を摘む箸先の部分は衛生上から、従来の割り箸のように、使い捨てとする。その一方で、手指で握る箸後端の部分は繰返し使用可能とすることで、箸の素材である木材の省資源を図って森林資源の枯渇の防止に役立つことの可能な、従来の割り箸に替わりうる箸を提供することである。
【課題を解決するための手段】
【０００７】
上記の課題を解決するための本考案の手段は、請求状１の考案では、食べ物を摘む箸先部３と手で把持する把持部４から箸本体２を形成している。この箸先部３の素材は木材や竹材からなるものとし、把持部４の素材はプラスチックスまたは金属からなるものとしている。さらに、把持部４の先端部４ａは箸先嵌合部４ｂに形成し、この箸先嵌合部４ｂに箸先部３の後端部３ａを両側から嵌合挟持する凹状嵌合溝５を設けている。この凹状嵌合溝５の長手中央部に突条５aを形成すると共に箸先部３の後端部３ａの長手中央部に上記の突条５aが嵌合する凹条３bを設け、箸先部３の後端部３ａを凹状嵌合溝５に挟持して箸先部３と把持部４を接続して１本の箸本体２に形成したことを特徴とする接ぎ箸１である。
【０００８】
請求項２の考案では、箸先嵌合部４ｂは内部の凹状嵌合溝５と共に先端部４ａから後端部４ｄの側へ軸芯４ｉで２分割され、後端部４ｄの外周面４ｃを内周面６ａとする移動枠６が箸先嵌合部４ｂの後方部４ｅに嵌合されて先端部４ａと後端部４ｄとの間を移動可能で、先端部４ａの外周面４ｃがリング枠６の内周面６ａより大きく、リング枠６が先端部４ａから脱落防止され、箸先嵌合部４ｂの凹状嵌合溝５に挟持の箸先部３の後端部３ａを箸先嵌合部４ｂの先端部４ａに移動のリング枠６の緊締により箸先部３と把持部４を接続して形成したことを特徴とする請求項１の手段の接ぎ箸１である。
【０００９】
請求項３の考案では、把持部４はその先端側に有する箸先嵌合部４ｂと別体からなるものとし、箸先嵌合部４ｂの外周面４ｃに嵌合したリング枠６は箸先嵌合部４ｂの後端部４ｄから嵌合されてなり、後端部４ｄに嵌合のリング枠６の背後に箸先嵌合部４ｂの外周面４ｃの大きさからなる挿着部４ｆを有し、この挿着部４ｆを把持部４に設けた挿通孔４ｇに挿着一体化して形成したことを特徴とする請求項２の手段の接ぎ箸１である。
【００１０】
請求項４の考案では、請求項１の手段の把持部４は軸芯４ｉに挿通孔４ｇを有し、この挿通孔４ｇに凹状嵌合溝５を内部に有する箸先嵌合部４ｂを別体から形成して挿脱自在としている。さらに挿通孔４ｇの周囲の把持部４の先端の大きさよりも大きな係合突条４ｊを箸先嵌合部４ｂの周囲に一体成形して有する。あわせて、挿通孔４ｇに挿通した箸先嵌合部４ｂの係合突状４ｊの後端部４ｄをヒンジ状リンク部４ｋとして箸先嵌合部４ｂを軸芯４ｉの方向で２分割して軸芯４ｉに垂直な方向に開閉可能としている。この開いた状態とした箸先嵌合部４ｂに形成の凹状嵌合溝５に箸本体２を装着して閉じ、この閉じた箸先嵌合部４ｂを把持部４の挿通孔４ｇに挿着一体化して形成したことを特徴とする接ぎ箸１である。この請求項４の考案では、把持部４の素材はプラスチックスまたは金属の他に木材であってもよいが、箸先嵌合部４ｂの素材はプラスチックスまたは金属からなるものとして上記のヒンジ状リンク部４ｋの形成を可能とする。
【考案の効果】
【００１１】
本考案は上記の手段とすることで、食物を摘むための木材または竹材からなる箸先部を使い捨てとすることで衛生的であり、手指で握るためのプラスチックスや金属からなる把持部は繰返し使用可能で無駄がなく、しかも、従来の割り箸は長さが２０ｃｍ以上であるのに対し、本考案の箸本体は接ぎ箸であるので、素材が木材や竹材である箸先部の長さは１０〜１１ｃｍと短いものとすることができ、しかも箸先部は先細部分であるので、従来の割り箸に比して素材である木材や竹材の使用量は約３分の１となる。この結果、省資源が図られ、森林資源の枯渇の防止に役立つことができる。さらに、箸本体を箸先部と把持部の接合からなるものとしたことで、短く収納して嵩ることなく持ち運べるなど、本考案接ぎ箸は従来にない優れた効果を奏するものである。
【考案を実施するための最良の形態】
【００１２】
以下に図面を参照して、本考案の実施の形態について説明する。この考案の第１の実施の形態は従来の割り箸に替わる箸である。この考案の接ぎ箸１は、図１の（ｂ）に示す食べ物を摘む箸先部３と（ａ）に示す手で把持する外周面が円形である把持部４から箸本体２に形成されている。この箸先部３の素材は木材や竹材の角３．５ｍｍ、長さ１１５ｍｍのやや先細からなり、基本的には従来の割り箸の素材と替わるところはない。一方、把持部４の素材は硬質のＡＢＳ樹脂やＰＰ樹脂からなるプラスチックスまたは金属、時には木材からなるもので、把持部４は長さ１３０ｍｍ、そのうち把持部４の先端部４ａである箸先嵌合部４ｂの長さ３０ｍｍで、φ６．５ｍｍを２分割体で形成しており、把持部４の手で握る部分は長さ１００ｍｍで先端側はφ６ｍｍで後端側はφ８．０ｍｍである。このように把持部４の先端部４ａは箸先嵌合部４ｂに形成されている。さらに、箸本体２を形成するため、箸先嵌合部４ｂは軸芯４ｉで２分割体とされ、前端側が両側に開くことができる。開いた箸先嵌合部４ｂの各半体には、内部に箸先部３を半体ずつ嵌合する凹状嵌合溝５が形成されている。この凹状嵌合溝５の後端部には、図２の（ａ）に見られるように、軸芯４ｉに直角方向の凹状嵌合溝５の後方側の側壁を除いて開口部５ｂとすることで、箸先嵌合部４ｂの後端部４ｄの剛性を弱めて分割された箸先嵌合部４ｂ開き易くしている。これらの開いた箸先嵌合部４ｂの凹状嵌合溝５間に箸先部３の後端部３ａを挿着して閉じ、箸先部３の後端部３ａを嵌合挟持する。この場合、開口部５ｂから挿着された箸先部３の後端部３ａが確実に凹状嵌合溝５の奥に挿着されていることが目視で解る。これらの凹状嵌合溝５の長手中央部の溝の底面に軸芯４ｉの方向と垂直な方向の高さ０．５ｍｍの突条５ａが形成されており、一方、箸先部３の後端部３ａの長手中央の対向する２面に深さ０．５ｍｍの凹条３ｂが形成されており、両者は嵌合して箸先部３が箸先嵌合部４ｂにしっかりと係合される。箸先部３と把持部４は以上の構成となっているので、箸先部３の後端部３ａを凹状嵌合溝５に嵌合挟持して箸先部３と把持部４を接続して１本の箸本体２に形成することで本考案の接ぎ箸１が得られる。
【００１３】
第２の実施の形態では、第１の実施の形態の他の実施例であり、接ぎ箸１は把持部４とその先端部４ａである箸先嵌合部４ｂが、プラスチックスから一体とされたものである。この箸先嵌合部４ｂは、上記のとおり箸先嵌合部４ｂの内部に形成の凹状嵌合溝５が、箸先嵌合部４ｂである先端部４ａから後端部４ｄの側へ軸芯４ｉで２分割されて形成されている。さらに、箸先嵌合部４ｂの後端部４ｄの外周面４ｃを、内周面６ａとする図２の（ｅ）に示す長さ５．０ｍｍ、外径８．０ｍｍ、内径６ｍｍのリング枠６が箸先嵌合部４ｂに嵌合されている。この場合、図２の（ｆ）に示すようにリング枠６が箸先嵌合部４ｂの後方部４ｅに嵌合されて、先端部４ａと後端部４ｄとの間を移動可能とされている。以上のように、箸先嵌合部４ｂは、軸芯４ｉで２分割されて前端側が両側に開くことができる。したがって、図２の（ａ）に示すようにリング枠６が後方から前方に移動することで、開いた箸先嵌合部４ｂの各半体が、図２の（ｄ）に見られるように閉じられる。この場合、図２の（ｃ）に示すように、先端部４ａの外周面４ｃをリング枠６の内周面６ａより大きく形成しているので、リング枠６が箸先嵌合部４ｂである先端部４ａの先端から脱落することが防止されている。そこで、図２の（ｄ）に示すように、箸先嵌合部４ｂの凹状嵌合溝５に箸先部３の後端部３ａが挟持され、図２の（ａ）に示すように箸先嵌合部４ｂの先端部４ａに移動したリング枠６によって、図２の（ｂ）や（ｃ）に示すように、箸先嵌合部４ｂが緊締され、箸先部３と把持部４が接続されて接ぎ箸１に形成される。
【００１４】
この第２の実施の形態の把持部４とその先端部４ａである箸先嵌合部４ｂを一体化する方法を説明する。先ず、図３の（ｂ）に示すように、把持部４の挿通孔４ｇの孔底４ｈの孔径を挿通孔４ｇの入口の孔径よりもやや小さく形成する。この場合、図３の（ａ）の箸先嵌合部４ｂの後部の挿着部４ｆの径は全長にわたり同一径で、かつ、挿通孔４ｇの入口の孔径にぎりぎり挿通できる大きさとする。このように形成した箸先嵌合部４ｂの後部にリング枠６を嵌合した後、この箸先嵌合部４ｂの後部の挿着部４ｆを把持部４の挿通孔４ｇに押し込み接合する。この接合により把持部４とその先端部４ａである箸先嵌合部４ｂは一体化されて分離されることはない。
【００１５】
第３の実施の形態では、第２の実施の形態の接ぎ箸１と異なり、接ぎ箸１を構成する把持部４がその先端部４ａである箸先嵌合部４ｂとがそれぞれ別体として形成されるものである。すなわち、図４の（ａ）に示す箸先部３と図４の（ｂ）に示す把持部４が切り離された別体からなるもので、箸として使用する時に一体化して使用し、使用後は元のように別体に分離されるものである。この場合、箸先嵌合部４ｂの外周面４ｃに嵌合したリング枠６も別体で、箸先嵌合部４ｂの後端部４ｄから箸先嵌合部４ｂに嵌合可能に形成されている。箸先嵌合部４ｂの後端部４ｄに嵌合されたリング枠６の背後には、箸先嵌合部４ｂの外周面４ｃの径と全長にわたって同じ径からなる例えば長さ１６ｍｍの挿着部４ｆが箸先嵌合部４ｂと一体に形成されている。一方、把持部４には軸芯４ｉを中心軸とする例えば長さ１６ｍｍの挿通孔４ｇが入口から孔底４ｈまで同径で上記の挿着部４ｆを挿脱可能な大きさの径として形成されている。これらは箸として使用する時に、箸先嵌合部４ｂのリング枠６の背面の挿着部４ｆを把持部４の挿通孔４ｇに挿着して一体化し、さらに箸部３の後端部３ａを箸先嵌合部４ｂに挟着して第３の実施の形態の接ぎ箸１とされる。
【００１６】
第４の実施の形態では、図５の（ａ）および（ｂ）に示すように、把持部４は軸芯４ｉに例えば長さ１６ｍｍの挿通孔４ｇを有する。この挿通孔４ｇに、図５の（ｃ）および（ｄ）に示すように、凹状嵌合溝５を内部に有する箸先嵌合部４ｂを把持部４と別体から形成して、箸先嵌合部４ｂを把持部４に挿脱自在としている。さらに挿通孔４ｇの周囲の把持部４の先端の大きさよりも約１ｍｍ大きな係合突条４ｊを、上記の第１〜第３の実施の形態の移動可能なリング枠６に替えて、箸先嵌合部４ｂの前部の周囲に係合突条４ｊを一体成形して有し、係合突条４ｊを指で握る握り部としている。さらに把持部４の挿通孔４ｇに挿通する箸先嵌合部４ｂの係合突状４ｊの後端部をヒンジ状リンク部４ｋとし、図５の（ｄ）に示すように、箸先嵌合部４ｂを軸芯４ｉで２分割して軸芯４ｉに垂直な、矢印４ｌで示す、方向に開閉可能としている。開いた状態とした箸先嵌合部４ｂに形成の凹状嵌合溝５に、図５の（ｅ）に示す箸先部３の後端部３ａを、挿着して箸先嵌合部４ｂを閉じる。箸先部３の後端部３ａを挿着して閉じた箸先嵌合部４ｂを、図５の（ｂ）に示す把持部４の挿通孔４ｇに挿着して、図６の（ａ）に示すように箸先部３の後端部３ａを箸先嵌合部４ｂに嵌着して、さらに図６の（ｂ）に示すように、これらを把持部４に挿入して嵌合し、箸本体２として接ぎ箸１に形成する。この第４の実施の形態では、把持部４の素材はプラスチックスまたは金属の他に木材であってもよい。しかし、箸先嵌合部４ｂの素材はプラスチックスまたは金属からなるものとして、ヒンジ状リンク部４ｋの可撓性を有するものとする。
【図面の簡単な説明】
【００１７】
【図１】本考案の接ぎ箸１で、（ａ）は接ぎ箸１とした側面図、（ｂ）は箸先部３の側面図である。
【図２】第２の実施の形態の接ぎ箸１の箸先嵌合部４ｂの部分を示す図で、（ａ）はリング枠６を箸先嵌合部４ｂの前方に移動した図、（ｂ）はＡ−Ａ矢視図、（ｃ）はＢ−Ｂ矢視図、（ｄ）はＣ−Ｃ断面図で、（ｅ）は円形リング枠６の正面図で、（ｆ）は箸先嵌合部４ｂを開いた側面図である。
【図３】第２の実施の形態の接ぎ箸１として、（ａ）は箸先部３を挿着するための箸先嵌合部４ｂを示す側面図で、（ｂ）は把持部４の挿通孔４ｇの底孔４ｈの径が入口よりやや小径となっているものの断面で示す側面図である。
【図４】第３の実施の形態の接ぎ箸１の箸先嵌合部４ｂと把持部４をそれぞれ別体とした図で、（ａ）は箸先嵌合部４ｂの側面図で、（ｂ）は把持部４の断面で示す側面図である。
【図５】第４の実施の形態の接ぎ箸１の箸先嵌合部４ｂと把持部４を別体としたものを示す図で、（ａ）は把持部４を前端側から見た正面図で、（ｂ）は把持部４の断面で示す側面図で、（ｃ）は箸先嵌合部４ｂの前端側から見た正面図で、（ｄ）は箸先嵌合部４ｂの断面で示す側面図で、（ｅ）は箸先部３の側面図である。
【図６】第４の実施の形態の接ぎ箸１として、（ａ）は箸先部３を挿着した箸先嵌合部４ｂを示す側面図で、（ｂ）は箸先部３を挿着した箸先嵌合部４ｂを把持部４に挿着一体化して接ぎ箸１とした断面で示す側面図である。
【符号の説明】
【００１８】
１  接ぎ箸
２  箸本体
３  箸先部
３ａ  後端部
３ｂ  凹条
４  把持部
４ａ  先端部
４ｂ  箸先嵌合部
４ｃ  外周面
４ｄ  後端部（箸先嵌合部４ｂの）
４ｅ  後方部（箸先嵌合部４ｂの）
４ｆ  挿着部
４ｇ  挿通孔
４ｈ  孔底
４ｉ  軸芯
４ｊ  係合突条
４ｋ  ヒンジ状リンク部
４ｌ  矢印
５  凹状嵌合溝
５ａ  突条
５ｂ  開口部
６  リング枠
６ａ  内周面
【図１】
0003137600.tif 000003
【図２】
0003137600.tif 000004
【図３】
0003137600.tif 000005
【図４】
0003137600.tif 000006
【図５】
0003137600.tif 000007
【図６】
0003137600.tif 000008